【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アップリンクシングルユーザ（ＳＵ）送信のための最大持続時間を示し、かつ前記示された閾値持続時間よりも大きい送信時間についてはアップリンク空間分割多元接続（ＳＤＭＡ）送信機会（ＴＸＯＰ）を求める要求を要求する、ＳＵ送信のための閾値持続時間のインジケーションを、１つまたは複数の装置に送信することと、
ＳＵ送信のための前記示された閾値持続時間よりも大きい対応する送信時間をもつデータを有する、前記１つまたは複数の装置のうちの少なくとも１つから、前記データを送信するためのＳＤＭＡ送信用の送信スロットを求める要求メッセージを受信することと、
ＴＸＯＰ開始フレームを、ＳＤＭＡ ＴＸＯＰの開始を示すために、前記少なくとも１つの装置に送信することと、
を備える方法。
【請求項２】
前記要求メッセージは、前記少なくとも１つの装置にバッファされたデータの量を示すフレームを備える、請求項１に記載の方法。
【請求項３】
前記フレームは、ＳＵ送信のための前記閾値持続時間を超えないデータフレームまたはヌルフレームのうちの少なくとも１つを備える、請求項２に記載の方法。
【請求項４】
前記少なくとも１つの装置にバッファされた前記示されたデータの量と、前記ＳＤＭＡ ＴＸＯＰにおいて受信された情報とに基づいて、前記少なくとも１つの装置に後続のＴＸＯＰ開始フレームを送信することをさらに備える、請求項２に記載の方法。
【請求項５】
前記要求メッセージを受信することに応答して、バックオフタイマを開始すること、
をさらに備え、ここにおいて、前記ＴＸＯＰ開始フレームは、前記バックオフタイマが満了した場合、または前記バックオフタイマが満了する前にさらなる数の要求メッセージが受信された場合、送信される、請求項１に記載の方法。
【請求項６】
ワイヤレス通信のための方法であって、
アップリンクシングルユーザ（ＳＵ）送信のための最大持続時間を示し、かつ前記示された閾値持続時間よりも大きい送信時間についてはアップリンク空間分割多元接続（ＳＤＭＡ）送信機会（ＴＸＯＰ）を求める要求を要求する、ＳＵ送信のための閾値持続時間のインジケーションを、アクセスポイントから受信することと、
データの送信時間がＳＵ送信のための前記閾値持続時間を超えることとなると決定することと、
前記決定に応答して、ＳＤＭＡ送信用の送信スロットを求める要求メッセージを送信することと、
を備える方法。
【請求項７】
ＳＤＭＡ送信の開始のインジケーションを備えるＴＸＯＰ開始フレームを受信することと、
前記ＴＸＯＰ開始フレームにしたがって、ＴＸＯＰ中にＳＤＭＡデータを送信することと、
をさらに備える、請求項６に記載の方法。
【請求項８】
前記要求メッセージは、ＴＸＯＰ要求フレームを備える、請求項６に記載の方法。
【請求項９】
前記要求メッセージは、前記少なくとも１つの装置にバッファされたデータの量を示すフレームを備える、請求項６に記載の方法。
【請求項１０】
前記フレームは、ＳＵ送信のための前記閾値持続時間を超えないデータフレームまたはヌルフレームのうちの少なくとも１つを備える、請求項９に記載の方法。
【請求項１１】
ワイヤレス通信のための装置であって、
アップリンクシングルユーザ（ＳＵ）送信のための最大持続時間を示し、かつ前記示された閾値持続時間よりも大きい送信時間についてはアップリンク空間分割多元接続（ＳＤＭＡ）送信機会（ＴＸＯＰ）を求める要求を要求する、ＳＵ送信のための閾値持続時間のインジケーションを、１つまたは複数の装置に送信するための手段と、
ＳＵ送信のための前記示された閾値持続時間よりも大きい対応する送信時間をもつデータを有する、前記１つまたは複数の装置のうちの少なくとも１つから、前記データを送信するためのＳＤＭＡ送信用の送信スロットを求める要求メッセージを受信するための手段と、
ＴＸＯＰ開始フレームを、ＳＤＭＡ ＴＸＯＰの開始を示すために、前記少なくとも１つの装置に送信するための手段と、
を備える装置。
【請求項１２】
前記装置は、複数のアンテナを備え、ＳＵ送信のための閾値持続時間のインジケーションを送信するための前記手段およびＴＸＯＰ開始フレームを送信するための前記手段は、送信機によって提供され、送信スロットを求める要求メッセージを受信するための前記手段は、受信機によって提供される、請求項１１に記載の装置。
【請求項１３】
ワイヤレス通信のための装置であって、
アップリンクシングルユーザ（ＳＵ）送信のための最大持続時間を示し、かつ前記示された閾値持続時間よりも大きい送信時間についてはアップリンク空間分割多元接続（ＳＤＭＡ）送信機会（ＴＸＯＰ）を求める要求を要求する、ＳＵ送信のための閾値持続時間のインジケーションを、アクセスポイントから受信するための手段と、
データの送信時間がＳＵ送信のための前記閾値持続時間を超えることとなると決定するための手段と、
前記決定に応答して、ＳＤＭＡ送信用の送信スロットを求める要求メッセージを送信するための手段と、
を備える装置。
【請求項１４】
前記装置は、少なくとも１つアンテナを備え、ＳＵ送信のための閾値持続時間のインジケーションを受信するための前記手段は、受信機によって提供され、送信時間を決定するための前記手段は、処理システムによって提供され、要求メッセージを送信するための前記手段は、送信機によって提供される、請求項１３に記載の装置。
【請求項１５】
請求項１乃至５、または請求項６乃至１０のうちのいずれか一項に記載の方法の全てのステップを実施するようにコンピュータ実行可能なプログラム命令を備える、コンピュータプログラム。
【手続補正２】
【補正対象書類名】明細書
【補正対象項目名】００８７
【補正方法】変更
【補正の内容】
【００８７】
[0096]上記は本発明の態様を対象とするが、それの基本的範囲から逸脱することなく、本発明の他の態様およびさらなる態様が考案され得、それの範囲は以下の特許請求の範囲によって決定される。
以下に本願の出願当初の特許請求の範囲に記載された発明を付記する。
［Ｃ１］
ワイヤレス通信のための方法であって、
シングルユーザ（ＳＵ）送信のための閾値持続時間のインジケーションを、１つまたは複数の装置に送信することと、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを受信することと、
送信機会（ＴＸＯＰ）開始フレームを、ＳＤＭＡ ＴＸＯＰの開始を示すために、前記少なくとも１つの装置に送信することと、
を備える方法。
［Ｃ２］
前記要求メッセージは、ＴＸＯＰ要求フレームを備える、Ｃ１に記載の方法。
［Ｃ３］
前記要求メッセージは、前記少なくとも１つの装置にバッファされたデータの量を示すフレームを備える、Ｃ１に記載の方法。
［Ｃ４］
前記フレームは、ＳＵ送信のための前記閾値持続時間を超えないデータフレームまたはヌルフレームのうちの少なくとも１つを備える、Ｃ３に記載の方法。
［Ｃ５］
前記少なくとも１つの装置にバッファされた前記示されたデータの量と、前記ＳＤＭＡ ＴＸＯＰにおいて受信された情報とに基づいて、前記少なくとも１つの装置に後続のＴＸＯＰ開始フレームを送信することをさらに備える、Ｃ３に記載の方法。
［Ｃ６］
前記要求メッセージを受信することに応答して、バックオフタイマを開始すること、をさらに備え、ここにおいて、前記ＴＸＯＰ開始フレームは、前記バックオフタイマが満了した場合、または前記バックオフタイマが満了する前に十分な数の要求メッセージが受信された場合、送信される、Ｃ１に記載の方法。
［Ｃ７］
ワイヤレス通信のための方法であって、
シングルユーザ（ＳＵ）送信のための閾値持続時間のインジケーションを、アクセスポイントから受信することと、
データの送信時間がＳＵ送信のための前記閾値持続時間を超えることとなると決定することと、
前記決定に応答して、空間分割多元接続（ＳＤＭＡ）送信用の送信スロットを求める要求メッセージを送信することと、
を備える方法。
［Ｃ８］
ＳＤＭＡ送信の開始のインジケーションを備える送信機会（ＴＸＯＰ）開始フレームを受信することと、
前記ＴＸＯＰ開始フレームにしたがって、ＴＸＯＰ中にＳＤＭＡデータを送信することと、
をさらに備える、Ｃ７に記載の方法。
［Ｃ９］
前記要求メッセージは、ＴＸＯＰ要求フレームを備える、Ｃ７に記載の方法。
［Ｃ１０］
前記要求メッセージは、前記少なくとも１つの装置にバッファされたデータの量を示すフレームを備える、Ｃ７に記載の方法。
［Ｃ１１］
前記フレームは、ＳＵ送信のための前記閾値持続時間を超えないデータフレームまたはヌルフレームのうちの少なくとも１つを備える、Ｃ１０に記載の方法。
［Ｃ１２］
ワイヤレス通信のための装置であって、
シングルユーザ（ＳＵ）送信のための閾値持続時間のインジケーションを１つまたは複数の装置に送信するための手段と、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを受信するための手段と、
送信機会（ＴＸＯＰ）開始フレームを、ＳＤＭＡ ＴＸＯＰの開始を示すために、前記少なくとも１つの装置に送信するための手段と、
を備える装置。
［Ｃ１３］
ワイヤレス通信のための装置であって、
シングルユーザ（ＳＵ）送信のための閾値持続時間のインジケーションを、アクセスポイントから受信するための手段と、
データの送信時間がＳＵ送信のための前記閾値持続時間を超えることとなると決定するための手段と、
前記決定に応答して、空間分割多元接続（ＳＤＭＡ）送信用の送信スロットを求める要求メッセージを送信するための手段と、
を備える装置。
［Ｃ１４］
ワイヤレス通信のためのコンピュータプログラム製品であって、
シングルユーザ（ＳＵ）送信のための閾値持続時間のインジケーションを、１つまたは複数の装置に送信することと、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを受信することと、
送信機会（ＴＸＯＰ）開始フレームを、ＳＤＭＡ ＴＸＯＰの開始を示すために、前記少なくとも１つの装置に送信することと、
を実行可能な命令を備えるコンピュータ可読媒体を備える、コンピュータプログラム製品。
［Ｃ１５］
ワイヤレス通信のためのコンピュータプログラム製品であって、
シングルユーザ（ＳＵ）送信のための閾値持続時間のインジケーションを、アクセスポイントから受信することと、
データの送信時間がＳＵ送信のための前記閾値持続時間を超えることとなると決定することと、
前記決定に応答して、空間分割多元接続（ＳＤＭＡ）送信用の送信スロットを求める要求メッセージを送信することと、
を実行可能な命令を備えるコンピュータ可読媒体を備える、コンピュータプログラム製品。
［Ｃ１６］
ワイヤレス通信のためのアクセスポイントであって、
複数のアンテナと、
シングルユーザ（ＳＵ）送信のための閾値持続時間のインジケーションを、１つまたは複数の装置に、前記複数のアンテナを介して送信するための送信機と、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを、前記複数のアンテナを介して受信するための受信機と、
を備え、前記送信機はまた、送信機会（ＴＸＯＰ）開始フレームを、ＳＤＭＡ ＴＸＯＰの開始を示すために、前記少なくとも１つの装置に、前記複数のアンテナを介して送信するためのものである、アクセスポイント。
［Ｃ１７］
ワイヤレス通信のための局であって、
少なくとも１つアンテナと、
シングルユーザ（ＳＵ）送信のための閾値持続時間のインジケーションを、アクセスポイントから、前記少なくとも１つアンテナを介して受信するための受信機と、
データの送信時間がＳＵ送信のための前記閾値持続時間を超えることとなると決定するように構成された処理システムと、
前記決定に応答して、空間分割多元接続（ＳＤＭＡ）送信用の送信スロットを求める要求メッセージを、前記少なくとも１つアンテナを介して送信するための送信機と、
を備える局。